Podtech/llm-jp-corpus-v4-ja_patent huggingface dataset:
(57)【要約】【課題】イベント実施中に、イベント用テントが突然の強風により空中に巻き上げられての被害事故を減少できるような強風逃し窓付きテントを提供する。【解決手段】イベント用テントの屋根面に、テント内部の強風の圧力により、自動的に強風を外部に開放する窓を設けるテントを特徴とする。【選択図】図１
2015071925.tif 000002
【特許請求の範囲】
【請求項１】
屋根面に強風逃がし用の窓を設けたイベント用テント。
【発明の詳細な説明】
【技術分野】
【０００１】  この発明は、イベント用テントの屋根面に強風のときに開いて強風を逃がす窓付きテントに関するものである。
【背景技術】
【０００２】  従来、イベント用テントの屋根面に強風逃し窓は付いてなかった。
【先行技術文献】
【０００３】
【特許文献１】  特許出願平１１−１０２１８
【特許文献１】  特許出願２００７−５４０７８
【発明の概要】
【発明が解決しようとする課題】
【０００４】  これは次のような欠点があった。
従来、イベント実施中に突然強風が吹き込むと、テントは空中に巻き上げられて人間にぶつかり怪我人がでることがあった。
本発明は、以上のような欠点をなくすためになされたものである。
【課題を解決するための手段】
【０００５】  イベント用テントの屋根面に、強風の風圧により自動開放される窓を設ける。
本発明は、以上の構成よりなるテントである。
【発明の効果】
【０００６】  イベント実施中に突然の強風によるテントの巻き上げられる被害事故を減少させることができる。
【図面の簡単な説明】
【０００７】
【図１】  本発明の風逃し窓付きテントの正面図である。
【図２】  本発明の風逃し窓付きテントの窓部分の断面図である。
【発明を実施するための形態】
【０００８】  以下、本発明を実施するための形態について説明する。
テント屋根面に開けられた窓（１）に、通常は窓より大きい蓋（２）が覆っており、この蓋がテント内部からの強風の圧力で自動開放されるようになっている。
本発明は、以上のような構造である。
【符号の説明】
【０００９】  １  テント本体の窓
２  窓の覆い蓋
【図１】
2015071925.tif 000003
【図２】
2015071925.tif 000004
(57)【要約】【課題】扉を開けた際に、扉を開けたままの状態で扉が移動しないように確実に固定させておくためには、つっかえ棒や蝶番などの部品を新たに用意し扉に外付けしなければならず、外付けの複雑な部品を使わずに可動部のみの簡易的な構造で、扉を開閉、固定させることは不可能であった。  本発明は、外付けの複雑な部品を使わずに、可動部のみの簡易的な構造で扉の開閉、固定を片手で行える扉開閉兼固定動作式可動部装置を提供する。【解決手段】扉取り付け面に可動軸移動溝と固定軸移動溝を設ける。扉に可動軸穴と固定軸穴を設ける。扉取り付け面と扉の間に可動軸と固定軸を設ける。【選択図】図４
2015071926.tif 000002
【特許請求の範囲】
【請求項１】
扉取り付け面に可動軸移動溝と固定軸移動溝を設け、扉に可動軸穴と固定軸穴を設け、扉取り付け面と扉の間に可動軸と固定軸を設けたことを特徴とする扉開閉兼固定動作式可動部装置。
【発明の詳細な説明】
【技術分野】
【０００１】  本発明は、扉を片手で開け、扉を開けたままの状態で固定させた後、片手で固定を解除し扉を閉める、扉開閉兼固定動作式可動部装置に関するものである。
【背景技術】
【０００２】  従来、扉を開けて、扉を開けたままの状態で固定させておくためには、つっかえ棒や蝶番などの部品を扉に外付けしていた。
【発明の開示】
【発明が解決しようとする課題】
【０００３】  扉を開けた際に、扉を開けたままの状態で扉が移動しないように確実に固定させておくためには、つっかえ棒や蝶番などの部品を新たに用意し扉に外付けしなければならず、外付けの複雑な部品を使わずに可動部のみの簡易的な構造で、扉を開閉、固定させることは不可能であった。
本発明は、以上の問題点を解決するためになされたものである。
【課題を解決するための手段】
【０００４】  扉取り付け面に可動軸移動溝と固定軸移動溝を設ける。扉に可動軸穴と固定軸穴を設ける。扉取り付け面と扉の間に可動軸と固定軸を設ける。
以上の構成よりなる扉開閉兼固定動作式可動部装置。
【発明の効果】
【０００５】  従来不可能とされていた外付けの部品を使わずに簡易的な可動部の構造のみで扉を開閉、固定することを本発明により可能にし、扉を片手で手軽に開閉、固定させることができる。
【発明を実施するための最良の形態】
【０００６】  以下、本発明の実施の形態を説明する。
（イ）扉取り付け面（１）に可動軸移動溝（２）と固定軸移動溝（３）を設ける。
（ロ）扉（４）に可動軸穴（５）と固定軸穴（６）を設ける。
（ハ）扉（４）に取っ手（７）を設ける。
（ニ）扉取り付け面（１）と扉（４）の間に可動軸（８）と固定軸（９）を設ける。
本発明は、以上のような構造である。
本発明を使用する時は、扉（４）の取っ手（７）を持ち上げると固定軸（９）を中心に可動軸（８）が動き、扉取り付け面（１）の可動軸移動溝（２）の上部へ移動する。扉（４）が最上部まで上がると、可動軸（８）が固定軸移動溝（３）にはまり、固定軸（９）とともに固定軸移動溝（３）の下部へ移動し、扉（４）が開いたままの状態で固定される。扉（４）の取っ手（７）を手前に引くと、可動軸（８）と固定軸（９）が上部へ動き、扉取り付け面（１）の固定軸移動溝（３）から外れ、固定が解除される。手前に引っ張りきると、可動軸（８）が可動軸移動溝（２）に移動し下部に降り、扉（４）が閉まる。
【図面の簡単な説明】
【０００７】
【図１】本発明の斜視図
【図２】本発明の斜視図
【図３】本発明の使用状態を示す斜視図
【図４】本発明の使用状態を示す斜視図
【符号の説明】
【０００８】（１）扉取り付け面
（２）可動軸移動溝
（３）固定軸移動溝
（４）扉
（５）可動軸穴
（６）固定軸穴
（７）取っ手
（８）可動軸
（９）固定軸
【図１】
2015071926.tif 000003
【図２】
2015071926.tif 000004
【図３】
2015071926.tif 000005
【図４】
2015071926.tif 000006
(57)【要約】【課題】足場が組んでない状態でＡＬＣ板を建て込む場合に、ＡＬＣ板と仮設手摺が干渉せず、仮設手摺を設置したままＡＬＣ板を建て込むことができる仮設手摺を施工中の建築物に取り付けるための手摺受け金具を提案する。【解決手段】建築物の施工中に、床開口部や建築物の外周部に設けられる仮設手摺を取り付けるための手摺受け金具であって、前記仮設手摺を取り付ける上側筒部と、前記建築物に取り付けるための穴およびデッキ受け金物を取り付けるための穴を有する下側支持部と、からなることを特徴とする。【選択図】図１
2015071869.tif 000002
【特許請求の範囲】
【請求項１】
建築物の施工中に、床開口部や建築物の外周部に設けられる仮設手摺を取り付けるための手摺受け金具であって、
前記仮設手摺を取り付ける上側筒部と、
前記建築物に取り付けるための穴およびデッキ受け金物を取り付けるための穴を有する下側支持部と、
からなることを特徴とする手摺受け金具。
【発明の詳細な説明】
【技術分野】
【０００１】
本発明は、鉄骨造や鉄骨鉄筋コンクリート造などの建築物の施工中に、床開口部や建築物の外周部に安全のために設けられる仮設手摺において、前記仮設手摺を取り付けるための手摺受け金具に関する。
【背景技術】
【０００２】
鉄骨造や鉄骨鉄筋コンクリート造などの建築物の施工中に、床開口部や建築物の外周部に安全のために仮設手摺が設けられる場合がある。前記仮設手摺は、躯体にインサート金物やさや管を床躯体端部に埋設する（例えば、特許文献１参照）か、ボルトやさや管を梁鉄骨等に溶接するか、しておき、これらに親柱用のパイプを差し込んだり、ボルト固定したりするといった方法により行われている。あるいは、床躯体に直接クランプにより親柱用パイプを固定する方法もある。
【先行技術文献】
【特許文献】
【０００３】
【特許文献１】特開平５−９８８００号公報
【発明の概要】
【発明が解決しようとする課題】
【０００４】
従来の仮設手摺施工方法では、例えば躯体の梁上にＰＣａ板などの部材を嵌め込み敷設する場合、この敷設工事が困難になったり、逆に、敷設されたＰＣａ板等によって仮設手摺の取り付けが不可能になったりする場合がある。
【０００５】
その場合で床開口部または建築物の外周部側に足場が組んであると、ＰＣａ板の敷設直前に仮設手摺を部分的に撤去してから、ＰＣａ板を敷設するので、大きな問題にはならない。特に問題となるのは、エレベーター開口部を利用して、長期間仮設エレベーターを運用する場合の様に、長期間足場が組めない場合である。床開口部端部にエレベーターシャフト壁としてのＡＬＣ板を建て込む場合に、足場の設置時期が仮設エレベーター解体後となり、ＡＬＣ板建て込み時期が遅れてしまい工事工程が厳しくなる。このため、仮設エレベーター運用期間中にＡＬＣ板の建て込みを行う場合には、仮設手摺を部分的に撤去して仮設エレベーターを足場代わりとして利用しながら作業するので、足場が組んである場合に手摺を撤去するのと比べて危険度が大きく増加してしまう。
【０００６】
本発明は、前記の問題点を解決することを目的とするものであり、足場が組んでない状態でＡＬＣ板を建て込む場合に、ＡＬＣ板と仮設手摺が干渉せず、仮設手摺を設置したままＡＬＣ板を建て込むことができる仮設手摺を施工中の建築物に取り付けるための手摺受け金具を提案することを課題とする。
【課題を解決するための手段】
【０００７】
請求項１の手摺受け金具１は、建築物の施工中に、床開口部や建築物の外周部に設けられる仮設手摺２を取り付けるための手摺受け金具１であって、前記仮設手摺２を取り付ける上側筒部１２と、前記建築物に取り付けるための穴１３およびデッキ受け金物を取り付けるための穴１４を有する下側支持部１１と、からなることを特徴とする。
【発明の効果】
【０００８】
この発明によれば、手摺受け金具１を床躯体端部のＡＬＣ板７と干渉しない位置で、かつ仮設手摺を設置した状態でもＡＬＣ板７を建て込み作業の邪魔にならない位置に固定する。仮設手摺を設置した状態でＡＬＣ板７を建て込み作業を行うことができるので、足場が組んでない状態でＡＬＣ板７を建て込む場合に、安全性が高まる。
【図面の簡単な説明】
【０００９】
【図１】本発明の手摺受け金具の実施形態に係る斜視図である。
【図２】図１に示す手摺受け金具を建築物に固定した状態を示す斜視図である。
【図３】図１に示す手摺受け金具を建築物に固定した状態を示す断面図である。
【発明を実施するための形態】
【００１０】
＜実施形態＞
図１は本発明に係る手摺受け金具の一実施形態を示す斜視図であり、図２は同じく建築物に固定した使用状態を示す斜視図であり、図３は同じく建築物に固定した使用状態を示す断面図である。
【００１１】
手摺受け金具１は、建築物の施工中に、床開口部や建築物の外周部に設けられる仮設手摺２を取り付けるための手摺受け金具１であって、前記仮設手摺２を取り付ける上側筒部１２と、前記建築物に取り付けるための穴１３およびデッキ受け金物を取り付けるための穴１４を有する下側支持部１１と、からなる。
【００１２】
上側筒部１２は仮設手摺２の支柱となるパイプを差し込んで固定できるような長さと内径を有する金属パイプ（さや管）であり、下側支持部１１の上面に溶接されている。
【００１３】
下側支持部１１は、断面Ｌ形の短い２本のアングル材の端部を溶接してＬ形にし、アングル材の一方の端部に、建築中の建築物に固定するための取付用プレート１５（ＰＬ−9  185X75）を溶接した。前記取付用プレート１５には、前記建築物に取り付けるための穴（2-φ12）を有し、建築物の梁に溶接されたデッキ受けアングル３の先端に溶接された取付用プレート（ＰＬ−9  185X75）と２本の六角ボルトで締め付ける。前記アングル材のもう一方の端部には、エレベーターシャフト工事用の仮設デッキをエレベーターシャフト内に敷き込むための、デッキ受け金物４（Ｌ-65X65X6）を皿ボルトで固定するための穴を有する。更に、垂直ネットを貼るためのネット取付用フック１６を下側支持部に溶接した。
【００１４】
本実施形態によれば、手摺受け金具１を床躯体端部のＡＬＣ板７と干渉しない位置で、かつ仮設手摺を設置した状態でもＡＬＣ板７を建て込み作業の邪魔にならない位置に固定する。仮設手摺を設置した状態でＡＬＣ板７を建て込み作業を行うことができるので、足場が組んでない状態でＡＬＣ板７を建て込む場合に、安全性が高まる。また、仮設手摺２や手摺受け金物自体の撤去も容易である。
【符号の説明】
【００１５】
１  手摺受け金具
１１  下側支持部
１２  上側筒部（さや管）
１３  建築物取付穴
１４  デッキ受け金物取付穴
１５  建築物取付用プレート
１６  ネット用フック
２  仮設手摺
３  デッキ受けアングル
４  デッキ受け金物
５  鉄骨梁
６  コンクリート床躯体
７  ＡＬＣ板
【図１】
2015071869.tif 000003
【図２】
2015071869.tif 000004
【図３】
2015071869.tif 000005
(57)【要約】      （修正有）【課題】流し台で洗い物をするとき、エプロンを装着しなくても、水の勢いによる衣服への水撥ねを防止できる水撥ね防止具を提供する。【解決手段】水撥ね防止具２は、可撓性を有するマグネットシートで構成され、流し台１のシンク内面に貼り付けた時、シンクの上面から突出する形状とした。【選択図】図３
2015071864.tif 000002
【特許請求の範囲】
【請求項１】
可撓性を有するマグネットシートで構成されシンク内面に貼り付けシンク  
上面から突出している形状。
流し台で洗い物をする時、衣服、足下、床が濡れないようにするための水
撥ね防止具。  
【発明の詳細な説明】
【技術分野】
【０００１】
本発明は、流し台で洗い物をする時に生ずる水しぶが飛ぶのを防ぎ、服
や床を濡れないようにするためのシンク用水撥ね防止板に関するもので
あ。
【背景技術】
【０００２】
流し台での洗い物をする時に、水が撥ねて衣服や床が濡れてしまうこと
がほとんどで、エプロンを着用したり、面積の広いマットを足下に敷い
て床が濡れるのを防いでいた。
【０００３】
従来の水撥ね防止板は流し台に取り付け金具でシンク内部に固定し使用
するとき起こして使用するもの（例えば、特開平０８-１００７０号）や
板にマグネットを張り付けたもの（例えば、特開２０１２-０６７５７
２）なども有るが、いずれも構造が複雑で清掃面、保管に問題があり、
また、高価なものであった。
【先行技術文献】
【特許文献】
【０００４】
【特許文献１】特開平０８-１００７０号公報
【特許文献２】特開２０１２-０６７５７２号公報
【発明の概要】
【発明が解決しようとする課題】
【０００５】
流し台で洗い物をするとき、エプロンを装着しなくても、水の勢いによ
る衣服への水撥ねを防止できるものを提供することを目的とする。
【課題を解決するための手段】
【０００６】
上記の目的を達成するために、流し台シンクの内部の側面に水撥ね防止
用のマグネットシートを提供する。
【発明の効果】
【０００７】
この発明のマグネットシート水撥ね防止板は洗い物をするたびに濡れい
た衣服や床を濡らすことなく水仕事が快適にできる。    
【図面の簡単な説明】
【０００８】
【図１】本発明のマグネットシート防止板を張り付けた立体正面図である。
【図２】図１のA-A’断面図である。
【図３】本発明のマグネットシート防止板を張り付けた正面図である。
【発明を実施するための形態】
【０００９】
以下、本発明の実施するための形態を説明する。
２のマグネットシート板は磁石側にイラスト叉はカラーシート張りにな
っている。その面をシンク内側の側面に張り付けて使用する。
張り付ける位置は身長により多少調節出来る。
【００１０】
このマグネットシートは例えば約幅３０センチ縦６０センチ。材質はゴムであるから洗い仕事中に手等がシートに当たっても殆ど痛みはなく、また食器等が当たっても壊れない。
また、突出部は好みの形状にハサミ、カッターナイフでカッとして使用
できる。      
【００１１】
使用後は乾いた布等で水滴を拭き取りそのままでも良いし、シンクから
外してグルグル巻きにしてかたずけても良い。
【符号の説明】
【００１２】
１  流し台
２  マグネットシート水撥ね防止板
３  シンク
４  排水口
【図１】
2015071864.tif 000003
【図２】
2015071864.tif 000004
【図３】
2015071864.tif 000005
(57)【要約】【課題】  駅のホームで強風の中、来ない電車を待ち続けたとき、風をよけるところもなく、ただただ寒さを我慢していた。  傘も危なくて役に立たず、カッパを着るのは大げさになる。【解決手段】  四角い本体（１）の一角に三角形状の頭部（２）を設け、左右対称に、止め部（３ａ）と止め部（３ｂ）、止め部（４ａ）と止め部（４ｂ）を設けたことを特徴とする防風頭巾。【選択図】図１
2015071849.tif 000002
【特許請求の範囲】
【請求項１】
四角い本体（１）の一角に三角形状の（２）を設け、左右対称に、止め部（３ａ）と止め部（３ｂ）、止め部（４ａ）と止め部（４ｂ）を設けたことを特徴とする防風頭巾。
【発明の詳細な説明】
【技術分野】
【０００１】  本発明は、外出時に、強い風や雨から、身を守るために手軽で持ち運びができるように工夫した防風頭巾に関するものである。
【背景技術】
【０００２】  従来、外出時に、強い風や雨から、身を守り、なおかつ持ち運びができるものはなかった。
【先行技術文献】
【特許文献】
【０００３】
【特許文献１】  登録実用新案第３１８０９９６号公報
【特許文献２】  登録実用新案第３１７３３８９号公報
【特許文献３】  登録実用新案第３１１６０６８号公報
【発明の概要】
【発明が解決しようとする課題】
【０００４】  外出時に、強い風や雨から、身を守るために手軽で持ち運びに便利なものはなかった。
本発明は、以上の問題点を解決するためになされたものである。
【課題を解決するための手段】
【０００５】  四角い本体（１）の一角に三角形状の頭部（２）を設け、左右対称に止め部（３ａ）と止め部（３ｂ）と止め部（４ａ）と止め部（４ｂ）を設ける。
以上のように構成された防風頭巾。
【発明の効果】
【０００６】  従来、風雨には傘かカッパしかなく、どうしてもガサばっていたが、本発明は、風呂敷状なので、折りたたむと薄くなり、持ち運びが容易である。
防水加工された生地を使うことで、風も雨も通さず寒さもしのげる。
本発明は、使うときは立体的に頭巾になる。
使わないときは一枚の四角い布の平面になる。
本発明の防風頭巾は、たたみやすく、コンパクトにしたことが特徴である。
【図面の簡単な説明】
【０００７】
【図１】  本発明の平面図である。
【図２】  本発明の使用状態を示した説明図である。
【発明を実施するための形態】
【０００８】  防水加工された四角い生地の本体（１）の一角に、三角形状の頭部（２）の同じく防水加工された生地を縫い合わせる。
止め部（３ａ）と止め部（３ｂ）、止め部（４ａ）と止め部（４ｂ）をとめる形にする。
本発明は、以上のような構造である。
本発明を使うときは、三角形状の頭部（２）の中に頭を入れ止め部（３ａ）と止め部（３ｂ）をあごの下で止め、止め部（４ａ）と止め部（４ｂ）を胸のあたりで止める。
その形は頭巾となり、使わないときは風呂敷のようにたたんでしまっておけばよい。
【符号の説明】
【０００９】１    本体
２    三角形状の頭部
３ａ  止め部
３ｂ  止め部
４ａ  止め部
４ｂ  止め部
【図１】
2015071849.tif 000003
【図２】
2015071849.tif 000004
(57)【要約】【課題】薄毛、地肌の悩みで、病院や美容院でヘッドスパを行うには、時間もお金もかかる。整髪料やマッサージもあるが、汚れは取れない。炭酸水によるヘッドスパが頭皮の改善に良い事は、知っていても出来ずにいた方は多かった。本発明は、自宅に居ながら簡単に、ペットボトル入り炭酸水でヘッドスパが可能になった。【解決手段】頭にシリコンゴムのキャップを装着し、頭頂部の注入口より炭酸水を流しいれ、手軽にヘッドスパ（頭皮の血行促進、薄毛改善、毛穴洗浄、爽快感など）が自宅に居ながらできる帽子状のヘッドキャップ。【選択図】図１
2015071850.tif 000002
【特許請求の範囲】
【請求項１】
頭部を覆う帽子体であり、帽子体上部には注入口を設け、頭部と帽子体の間に空間を設けたことが、特徴とする炭酸ヘッドスパ帽子。
【発明の詳細な説明】
【技術分野】
【０００１】  本発明は、頭部に装着し、帽子体と頭部に空間を有する事を特徴とする、炭酸ヘッドスパ帽子である。市販されているペットボトルなどの炭酸水を帽子のような形の本発明品と頭皮の間に流し入れ、５〜１０分漬け置きパックすることで、シャンプーで取りきれない汚れ頭皮脂などを取り除き、血行を促進し、抜け毛、薄毛、頭皮の匂いを改善するものである。
【背景技術】
【０００２】  従来、薄毛や抜け毛に悩む方々は、育毛剤を使う事や、病院や美容院で炭酸ヘッドスパなどを受けたりすることで改善をしていたが、高額であったり、一般的でないことも多く、頻繁に利用できない事が多かった。
また、風呂場でただ炭酸水を洗い流すだけでは、効果が実感できない。
【先行技術文献】
【特許文献】
【０００３】
【特許文献１】特開２００２−３２７３２９号公報
【特許文献２】特開２０１１−１３２６１３号公報
【特許文献３】特開２００７−１８５４５２号公報
【発明の概要】
【発明が解決しようとする課題】
【０００４】  今では、男性だけでなく薄毛に悩む女性が多い。女性の方もストレスによる血行不良、ホルモンバランスの低下、毛染め、パーマなどにより、頭皮が痛み、抜け毛、薄毛になっている。美容院や薄毛専門の病院へ行き、炭酸水ヘッドスパで汚れを取り除くか、育毛剤、飲み薬などで改善する等あるが、高額で時間もかかる。炭酸水が血行を良くし、汚れを取ることは、知っていて自宅で頭皮の皮脂や汚れを取ろうとしても、風呂場、洗面所などで、頭を下にしていなければならず、首に負担がかかり、頚椎を痛める。ただ流すだけでは、効果も薄く、暫く炭酸水に頭を浸していなければならず、かなり苦しい。【０００５】  マッサージだけでは、効果も少なく、本発明品であれば、頭部を下げず、立位、座位状態でも、手軽に炭酸水の効果を利用し活用できる。その間には、風呂場などで、身体を洗う事も、湯船につかる事もでき、顔にパックもできるので、時間の無い現代人には便利である。上記の先行技術特許でも手軽に自宅で出来るものは無い。
本発明は、以上の問題点を解決するためになされたものである。
【課題を解決するための手段】
【０００６】  頭部を覆う帽子体であり、帽子体上部には、注入口を設け、頭部と帽子体の間に空間を有する。帽子体はシリコンゴム素材などで、伸縮素材でできている。髪の毛の生え際には、薄い柔らかなリシリコンゴム素材などで、炭酸水が漏れでないよう圧迫でき、頭上部に向かい素材が厚めになっている。頭部と帽子体に５ミリ程度の隙間ができ、上部の注入口よりペットボトルなどの炭酸水を流し入れ５分から１０分置き浸す。
【発明の効果】
【０００７】  頭皮は皮脂が多く出ることやストレス、ホルモンバランスの乱れ、白髪染め、整髪料などにより、汚れ、薄毛、抜け毛になり、悩んでいる方は多い。今までは、美容院は行き炭酸ヘッドスパをしてもらうか、薄毛専門の病院へ行き、治療で経口薬や育毛剤を処方してもらうか、市販された育毛剤をつけるなど、高価で時間もかかり、安易でなかった。ただ炭酸水を洗い流すだけでは、その効果は得られないが、本発明品により、炭酸水で漬け置きパックすることで、お湯に頭を漬けるより、５倍も血行が促進され、弱酸性で、抗菌作用もあり、肌を痛めることなく細菌を抑制し、皮脂や汚れ不要な角質を取り除き、毛穴の中まで綺麗になり、頭の匂いもなくす。爽快感もあり、気分がリフレッシュされる。【０００８】  炭酸水に溶け込んでいる、炭酸ガスの素である「二酸化炭素」は、「酸素」よりもヘモグロビンと結合しやすい性質があり、働かせたい細胞のところに「二酸化炭素」があると、ヘモグロビンは「酸素」を離して「二酸化炭素」と結合するという現象が起き、ヘモグロビンが離した「酸素」は、細胞をより働きやすくさせる。酸素を細胞に届ける効果を助ける。細胞が活性され頭部の皮膚の若返り効果に繋がる。【０００９】  頭皮炭酸ヘッドスパを、本発明品があれば、簡単に低価格（炭酸水５００ミリペットボトル約１００円）で行うことが可能になる。ヘッドスパしている、その間には、風呂場などで、身体を洗う事も、湯船につかる事もでき、顔にパックもできるので、時間の無い現代人には大変便利である。
【図面の簡単な説明】
【００１０】
【図１】本発明の使用状態を示す斜視図
【図２】本発明の正面図
【図３】本発明の使用状態を示す断面図
【発明を実地するための形態】
【００１１】  以下、本発明の実施の形態を説明する。
頭部を覆う帽子体（１）帽子体上部には、注入口を設ける（２）髪の毛の生え際部分はスイミングキャップのように薄い厚さ１ミリメートル程度の柔らかで伸びの良いシリコンゴム素材などで、約５センチメートル幅で開口部周縁に設けられる。装着時は、スイミングキャップをかぶるように開口部を両手で伸ばし装着し、髪の毛の生え際から炭酸水が漏れでないよう圧迫できる（３）、（２）の部分（頭上部髪の毛の生え際から５センチメートル）より上部に向かい素材が２から３ミリメートル程度に素材が厚くなる。シリコンゴムの厚みが増す事で、固くなり、スイミングキャップのような形態であるが、そこからはピッタリ密着するのではなく、頭部と帽子体に２〜３ミリメートル程度の隙間空間ができ、炭酸水で頭皮全体を５分から１０分浸す。
本発明は、以上のような構造である。
【符号の説明】
【００１２】  １  注入口、２  髪の毛の生え際上部のシリコンゴムが薄い伸びの良い部分、３  炭酸水が留まるシリコンゴムの厚みが増して立体的になる部分
【図１】
2015071850.tif 000003
【図２】
2015071850.tif 000004
【図３】
2015071850.tif 000005
(57)【要約】【課題】風呂場や台所、洗面台で使う液体容器を、床や棚に直接置くと、容器が倒れて散乱したり、容の液体が流れ出たりで、風呂場や台所、洗面台が見苦しくなっていた。また不衛生であった。本発明により、以上の問題を解決するための液体容器の吊り下げ具を提供する。【解決手段】  基盤１の下面に基軸２を垂下させ、基軸２の下端に挾持板３を基盤１と並行に設け、挾持板３は緑より中央に向けて溝４を設け、液体容器９の首部１０を差込み挾持可能とし、基盤１の上面に支持部５を設け、支持部５に半回動可能のリング６を設け、リング６の中央は穴７を貫通させ、リング６にフック体Ａのフックを掛ける。【選択図】図３
2015071024.tif 000002
【特許請求の範囲】
【請求項１】
基盤１の下面に基軸２を垂下させ、基軸２の下端に挾持板３を基盤１と並行に設け、挾持板３は緑より中央に向かて溝４を設け、液体容器９の首部１０を差込む挾持可能とし、基盤１の上面に支持部５を設け、支持部５に半回動可能のリンク６を設け、リンク６の中央は穴７を貫通させ、リング６にフックを掛けることを特徴とする液体容器の吊り下げ具。
【発明の詳細な説明】
【技術分野】
【０００１】  本発明は、風呂場で使用するシャンプーやリンス等、あるいは台所、洗面台の液体容器を、壁や蛇口などにフックで吊るして保持するための、液体容器吊り下げ具に関するものである。
【背景技術】
【０００２】  従来より風呂場や台所、洗面台で使用する液体容器は、床や棚に直接置いたり、方形状の容器に入れたりして備えている。
【先行技術文献】
【０００３】
【特許文献１】  特許公開２０１０−２５４３４９  特許公開２００５−２４７３３５
【発明の概要】
【発明が解決しようとする課題】
【０００４】  風呂場や台所、洗面台で使う液体容器を、床や棚に直接置くと、容器が倒れて散乱したり、容器の液体が流れ出たりで、風呂場や台所が見苦しくなっていた。また不衛生であった。
本発明は、以上の問題を解決するためになされたものである。
【課題を解決するための手段】
【０００５】  基盤１の下面に基軸２を垂下させ、基軸２の下端に挾持板３を基盤１と並行に設け、挾持板３は緑より中央に向けて溝４を設け、液体容器９の首部１０を差込み挾持可能とし、基盤１の上面に支持部５を設け、支持部５に半回動可能のリング６を設け、リング６の中央は穴７を貫通させ、リング６にフック体Ａのフック８を掛ける。
以上の構成よりなる液体容器の吊り下げ具。
【発明の効果】
【０００６】  本発明により、液体容器をフックにより宙吊りにして、壁や蛇口の首に掛けておくことができる。これにより、液体容器が倒れたり散乱することがなく、狭いスペースに整理整頓できる。
本発明により、液体容器の吊り下げ具にすることができる。
【図面の簡単な説明】
【０００７】
【図１】本発明の斜視図
【図２】本発明の断面図
【図３】本発明の使用状態を示す斜視図
【図４】液体容器の要部斜視図
【図５】応用例図
【発明を実施するための形態】
【０００８】  以下、本発明の実施の形態を説明する。
（イ）円盤状の基盤１の下面に円柱又は角柱の基軸２を垂下させる。
（ロ）中央を溝４として切り欠いた円盤状からなり、溝４の両側を円弧状の挾持板３を基軸２の下端に基盤１と並行に設ける。
（ハ）基盤１の上面に半環状の支持部５を設け、支持部５に半回動可能のりング６を設け、リング６の中央は穴７を貫通させる。
（ニ）リング６にフック体Ａのフック８を掛ける。
本発明は以上の機構よりなり、本発明を使用するときは次のようにする。
本発明の溝４に液体容器９の首部１０を差込、挾持板３により容器９の押圧ヘッド１１を支持し、これにより容器９を本発明で支持できる。フック体Ａのフックでリング６を掛ける。なお、本発明は次のようにできる。図５に示すように、リングの上にフック体Ａ’をとりつける。
【符号の説明】
【０００９】１基盤、２基具、３挾持板、４溝、５支持部、６リング
７穴、８フック、９容器、１０首部、１１押圧ヘッド
Ａフック体、Ａ’フック体
【図１】
2015071024.tif 000003
【図２】
2015071024.tif 000004
【図３】
2015071024.tif 000005
【図４】
2015071024.tif 000006
【図５】
2015071024.tif 000007
(57)【要約】【課題】夏場の猛暑日にも，美味しいアイスコ−ヒ−を作る為には，温度の低い場所が必要である，その様な場所は少ない，そこで，冷蔵庫の中，携行用のク−ラ−の中で作れる，水たてコ−ヒ−器がないか，さがしたが，帯に短かし，タスキに長しで，希望に合っ，物に出会えなかった。思考錯誤の末，狭い場所でも作れる，前記の様な水たてコ−ヒ−器を考えた。【解決手段】水たてコ−ヒ−は抽出に時間がかかるので，夏場の猛暑日には温度の低い場所を必要とする，身近な所では，冷蔵庫や，少量の氷で庫内を冷やせる携行ク−ラ−等が，最適と考えた。何れも，庫内が狭いので，それに納まる，背丈が低く，コンパクトな器具が必要となり，操作が簡単で仕舞いもし易い，別図の様な器を作り夏場の猛暑日でも，美味しい水たてコ−ヒ−が作れる様に考えた。【選択図】図２
2015071022.tif 000002
【特許請求の範囲】
【請求項１】
簡単に出来る水たてコ−ヒ−器です。本発明は，水タンクに，水滴調整ネジを付けた蓋と，コ−ヒ−原料を入れる，容器を組み合わせ，市販のポットに，セットし  じっくりと，コ−ヒ−エッセンスを抽出する器具で，背丈を低く押さえ，小じんまとし狭い空間で，水たてコ−ヒ−を抽出，出来る器としたのが，特徴であり組み立て，片づけも，簡単である先ず，水タンクに，水滴調整ネジの付いた蓋を，セットし，水タンクと蓋を，蓋押さえで固定する，水滴調整ネジを締め，適量のコ−ヒ−粉末の入れられたコ−ヒ−原料入を，水タンクの下へ，ネジ込む。一体となった器を市販のポットへセットし，水タンクの注水口から適量の水を入れる。３ケ所ある，水滴調整ネジを少しづつ緩め，コ−ヒ−エッセンスが，じっくりと抽出される様にした器具である。水滴量は透明器具なので，外から目視出来，種々に調整できる。この方法は，コ−ヒ−粉から自然に，コ−ヒ−エッセンスを抽出するので濁りの無いマイルドで，香りの良いコ−ヒ−が出来る。更に，コ−ヒ−原料入れに，布のコ−ヒ−コシを併用すれば，粉の無い水たてコ−ヒ−を抽出出来る。
【請求項２】
水たてコ−ヒ−器具は，抽出に時間がかかるので，気温の低い場所が必要となる，特に夏場の猛暑日には，冷蔵庫や，少量の氷を入れて庫内の温度を低く保てる携行用の小型ク−ラ−内で，水たてコ−ヒ−を抽出するのが望ましい，冷蔵庫や，携行ク−ラ−の中は，庫内がせまいので背丈が低く，小じんまりした器具が必要になる。上記の条件に合う様に背丈が低く，小じんまりした，水たてコ−ヒ−器を考案した。
【請求項３】
この水たてコ−ヒ−器は，背丈が低く，組み立てが簡単なので，何時でも，何処でも水たてコ−ヒ−を作られる。又後片づけも簡単に出来る。但し，気温が，２０度以下が望ましい。
【発明の詳細な説明】
【技術分野】
【０００１】▲１▼本発明は，夏場の猛暑日でも，簡単に水たてコ−ヒ−を抽出する為に考えた，背丈が低く，コンパクトで使いやすく，片づけ易い器具とした。夏場の猛暑の中では，長時間掛けて抽出する，水たてコ−ヒ−は気温の低い場所を必要とする，気温の低い所は，身近では，冷蔵庫や，少量の氷等で庫内を簡単に冷やせる，携行の小型ク−ラ−が良いと考えた，いずれも庫内がせまいので，背丈を低く，コンパクトにする必要が有るので，別図の様な，構造の水たてコ−ヒ−器を考えた。夏場の猛暑日でも，就寝前に，水たてコ−ヒ−器を，冷蔵庫や，少量の氷を入れた，携行ク−ラ−にセットしておけば，翌朝には，水たてコ−ヒ−が出来ている。▲２▼仕舞も，蓋，水タンク，コ−ヒ−入れと，簡単に分解出来，水洗いが出来る。
【背景技術】
【０００２】▲１▼今まで，この様に背丈が低く，コンパクトな水たてコ−ヒ−器具は見当たらない。【特許文献】
【０００３】
【発明の開示】
【発明が解決しようとする課題】
【０００４】▲１▼本発明は，夏場の猛暑の中でも，抽出に時間の掛かる水たてコ−ヒ−を作るには冷蔵庫や，少量の氷で，庫内を冷やせる携行ク−ラ−が，最適と考え，背丈が低く，コンパクトな器が必要と考えた，又組み立て，後始末がし易い器具とした。2015071022.tif 000003
【０００５】▲１▼夏場の猛暑の中で，水たてコ−ヒ−を抽出するには，涼しい場所が必要である，身近の物では，冷蔵庫や，少量の氷で庫内を冷やせる，携行ク−ラ−の庫内と考えた，いずれも，庫内が狭いので，背丈を低く，コンパクトにする必要があった。
【発明の効果】
【０００６】▲１▼夏場の猛暑の中でも，この器の発明により，外気温を気にする事なく，安全で簡単に，濁りの無いマイルドで，香りの良い水たてコ−ヒ−を，冷蔵庫や，携行用の，ク−ラ−内で作られる様になり，早朝の目覚めに。午前の１０時頃に。午後の３時頃に。大きな楽しみが出来た。
【実施例１】
【０００７】本発明品は，水タンク▲５▼に，水滴調整ネジ▲２▼の，付いた蓋▲１▼，を蓋固定爪▲６▼に合わせて乗せ，蓋押へ▲４▼で，水タンク▲５▼に，固定し，水タンク▲５▼の，下にコ−ヒ−原料を入れた容器▲８▼を，ネジ込▲１０▼み，水滴調整ネジ▲２▼を，閉めて市販のポッ▲１２▼へ，セットする，注水口▲３▼から，適量の水を入れる，３個ある水滴調整ネジ▲２▼を，少しずつ，緩め，コ−ヒ−エッセンスが，じっくり抽出，できる様にした，水たてコ−ヒ−器である。透明器具なので水滴の落下速度を見ながら調整できる。準備が終わって，冷蔵庫や，携行ク−ラ−へ入れる。
【図面の簡単な説明】
【０００８】
【図１】本発明の平面図である。
【図２】本発明の側面・断面図である。
【符号の説明】
【０００９】［図１］▲１▼  器の蓋▲２▼  器の水滴調整ネジ（３カ所）▲３▼  水タンクへの注水口▲４▼  タンクと蓋を固定する蓋押さえ▲５▼  水タンク▲６▼  蓋固定爪▲７▼  蓋の開け閉め用，取っ手（２カ所）▲８▼  コ−ヒ−の原料入れ［図２］  １  ――（図１器の蓋）  ２  器の水滴調整ネジ（３カ所）  ３  ――（図１の水タンクへの注水口）  ４  蓋押さえ  ５  水タンク  ６  ――（図１の蓋固定爪）  ７  ――（図１の蓋の開け閉め用，取って，２カ所）  ８  コ−ヒ−の原料入れ  ９  水タンクの底の水滴穴１０  水タンクとコ−ヒ−原料入れの接続はネジ込み式１１  パッキン１２  市販のポット１３  極細網
【図１】
2015071022.tif 000004
【図２】
2015071022.tif 000005
(57)【要約】【課題】  トスバッティングの練習を解消する為に、単独でバッティングができる器具を提供する。【解決手段】  １器具本体から吊るした３砂袋を振り子のように振り、実施位置に立ちタイミングを計り３砂袋を力強く打つ。これを繰り返し練習する事によりトスバティングと同じ効果が得られる。【選択図】図２
2015071018.tif 000002
【特許請求の範囲】
【請求項１】
バッティングの練習として、上から吊るした仮想ボールを振り子のように大きく振り、それをバットで打つ練習器具。
【発明の詳細な説明】
【技術分野】
【０００１】  本発明は野球やソフトボールのトスバッティング練習が単独で行える器具に関するものである。
【背景技術】
【０００２】  バッティングは下半身で体重移動をしながら、ボールの軌道を予測し、上半身の回転でバットを振り出し、タイミング良くインパクトの瞬間をかえ、そこからボールを押し込むことで強い打球が向生まれる。
上記の練習にはトスバッティングが最適であるが、単独で出来る器具が無かった。
【発明の概要】
【発明が解決しようとする課題】
【０００３】  トスバッティングの練習をするバッターにはネットを狙って打てる技術と、広い練習スペースが必要である。また必ず練習相手が必要であり、尚且つバッターの打ち易いコースや高さにボールを投げる高い技術も要求されます。
以上の事からトスバッティングは合理的な練習にもかかわらず、環境条件が整わず練習を断念せざる終えないのが実状である。
【課題を解決する為の手段】
【０００４】  そこで本発明にあっては、上記課題を解決する為、上部から吊るした３砂袋（仮想ボール）を振り子のように、大きく振り、３砂袋をタイミング良く、バットで力強く打つ。これを繰り返し練習する。
【発明の効果】
【０００５】  上から吊った３砂袋を打つ為、ネットと練習相手が不要になり、コース、高さ、スピードが常に一定なので、インパクトのタイミグを取る練習が単独で体得できる。
また繰り返し練習をする事により、選球眼が大きく向上する為、ボールへの恐怖心が無くなる。
【図面の簡単な説明】
【０００６】
【図１】  本発明の正面図である。
【図２】  本発明の側面図である。
【図３】  本発明の上面図である。
【発明を実施するための形態】
【０００７】  以下、本発明の実施形態について説明する。
（イ）、５準備位置から３砂袋を１ｍほど引いた所から離し、３砂袋を振り子状態にする。６実施位置に移りタイミグ良く３砂袋をバットで力強く叩く。
（ロ）、これを繰り返し実施する。
【符号の説明】
【０００８】    １．器具本体
２．吊り下げロープ
３．砂袋
４．土台
５．準備位置
６．実施位置
【図１】
2015071018.tif 000003
【図２】
2015071018.tif 000004
【図３】
2015071018.tif 000005
(57)【要約】【課題】皮膚改善剤として高い需要の有るプラセンタエキスを無菌的に製造し、防腐剤フリーの自然派化粧品原料として提供すること。【解決手段】動物から分離された胎盤からプラセンタを分離抽出するとき、低温で数回滅菌して無菌的に製造した皮膚改善化粧品製造用原料。【特許請求の範囲】
【請求項１】
動物から分離した胎盤から通常の方法でプラセンタエキスを精製したのち、加熱した後室温で保存する操作を繰り返すことにより得られる無菌プラセンタエキスを配合されていることを特徴とする皮膚改善化粧料。
【請求項２】
上記無菌プラセンタエキスを精製する時に、加熱した後室温で保存する操作を２回から５回繰り返して得られることを特徴とする請求項１に記載の皮膚改善化粧料。
【請求項３】
上記無菌プラセンタエキスを０．０１重量％から１０重量％までの割合で含有することを特徴とする請求項１に記載の皮膚改善化粧料。
【発明の詳細な説明】
【技術分野】
【０００１】本発明は化粧料原料に係り、プラセンタエキスを無菌的に調整する方法に関する。
【背景技術】
【０００２】プラセンタエキスは化粧料によく配合されている。また、防腐剤を使用しない自然派化粧品にもプラセンタエキスの高い乾燥防止、しわ、シミ等の改善効果があることより好んで使用されている。【０００３】しかしながら製造工程中でパラベン（パラオキシ安息香酸エステル）やフェノキシエタノール等の防腐剤を多量に使用されているのが現実である。自然派化粧品メーカーにとって防腐剤フリーの原料を使用することを希望しているが、動物を原料とする製造工程上、無菌的に製造することは極めて困難なことである。【０００４】防腐剤が殺菌する対象は微生物であり、微生物は細胞で出来ている。防腐剤は細胞膜を破壊して微生物を殺すことが出来る。【０００５】ヒトの肌も細胞で出来ているので防腐剤を肌細胞に塗布すると皮膚細胞は破壊されることとなる。【０００６】化粧品に使用されている防腐剤の濃度は比較的薄いので、化粧品を一回使用しただけで直接的に肌に影響を及ぼすことは少ないと考えられているが、化粧品は使用すると一日中拭き取ることはしないのが通常であり、また使用期間も数十年という長期間に及ぶことが通常であるので、例え薄い濃度であっても、一日中肌に防腐剤が残り、その状態が数十年にも及ぶと肌細胞は絶え間なくダメージを受けるようになり、肌細胞の再生機構（ターンオーバー）もうまく働かなくなってくると考えられている。【０００７】この現象は４０代、５０代になると肌荒れ、しわ、シミといった症状で現れてくる。肌荒れがひどくなってきたところに、それを隠す目的でさらに防腐剤の入った化粧品を使用すると肌荒れはさらに酷くなっていくという悪循環に陥り易い。
【発明の概要】
【発明が解決しようとする課題】
【０００８】プラセンタエキスは動物の胎盤を原料として、動物の成長に必要な成長因子等を多く含んでいる。その本体は蛋白質、脂質、糖質等であるが、それらは微生物の栄養としても非常に有効なものであり、微生物が増殖しやすい。【０００９】また動物より胎盤を切除する時動物の身体は微生物汚染を受けているのが通常であり、得られた胎盤も切除操作中に微生物汚染を受けやすい。【００１０】胎盤からプラセンタエキスを抽出する時も無菌室で無菌的な操作で抽出することも困難であるため、抽出操作中にパラベン等の防腐剤を添加しているのが通常である。【００１１】一度添加された防腐剤はその後の操作で除外することは出来ないので、キャリーオーバー成分として扱われている。キャリーオーバー成分は化粧品の法令に則った表示成分からは除外されているので、消費者は防腐剤フリーの化粧品を購入したつもりでも防腐剤を含んだ化粧品を知らず知らずのうちに使用していることになる。
【課題を解決するための手段】
【００１２】本発明者らは上記皮膚改善剤について鋭意研究した結果、プラセンタエキスを、防腐剤を使用しないで滅菌することに成功し、本発明を完成した。
【発明の効果】
【００１３】本発明によると防腐剤を含まないプラセンタエキスを製造できるので真に防腐剤フリーの化粧品を製造することが出来る。
【発明を実施するための形態】
【００１４】動物の胎盤より分離した胎盤から常法に従ってプラセンタエキスを抽出する。
得られたエキスを加熱して５５℃に達してから５５℃を維持するように３０分間加熱を続ける。その後エキス内に空気を取り込ませるように撹拌しながら８時間室温（２５℃前後）で放置する。これを１サイクル目とする。
【００１５】８時間後に再び容器を加熱して５５℃に達してから５５℃を維持するように３０分間加熱を続ける。その後エキス内に空気を取り込ませるように撹拌しながら８時間室温（２５℃前後）で放置する。（２サイクル目）このサイクルを２回から５回、好ましくは３回続ける。
【００１６】この繰り返しによりエキス中に存在する芽胞菌及び嫌気性菌を含む微生物を、防腐剤を使用せずに死滅させることが出来る。このようにして得られたプラセンタエキスは密閉容器に保管することで１年間の無菌状態を保つことが出来る。
【実施例】
【００１７】次に、本発明を実施例により説明するが本発明はこれら実施例により限定されるものではない。
常法により動物より胎盤を切除し、防腐剤を使用しないで抽出したプラセンタエキスを加熱して５５℃に達してから５５℃を維持するように３０分間加熱を続けた。【００１８】その後エキス内に空気を取り込ませるように撹拌しながら８時間室温（２５℃前後）で放置した（１サイクル目）。【００１９】８時間後に再び容器を加熱して５５℃に達してから５５℃を維持するように３０分間加熱を続けた。その後エキス内に空気を取り込ませるように撹拌しながら８時間室温（２５℃前後）で放置した（２サイクル目）。【００２０】８時間後に再び容器を加熱して５５℃に達してから５５℃を維持するように３０分間加熱を続けた。その後エキス内に空気を取り込ませるように撹拌しながら８時間室温（２５℃前後）で放置した（３サイクル目）。【００２１】得られたエキスを日本薬局方に記載の無菌試験の手法に従って微生物検査を行った。その結果を表１に示す。【００２２】
【表１】
2015071580.tif 000002
【産業上の利用可能性】
【００２３】常法により動物より胎盤を切除して防腐剤を使用しないで抽出したプラセンタエキスを、加熱して５５℃に達してから５５℃を維持するように３０分間加熱を続けた後室温に８時間放置するサイクルを３回繰り返して得られたプラセンタエキスは日本薬局方に記載の無菌試験に適合し、防腐剤フリーの化粧料に利用することが出来る。
(57)【要約】【課題】遮光性容器を使用しても寿命を確実に判定できるガス分析用硫化水素除去フィルターを提供すること。【解決手段】少なくとも胴部２が遮光性を有し、また一端にガス流入口３が、他端にガス流出口４が形成された筒状容器１に銀塩を含有する粒状体７を収容するとともに、少なくともガス流出口４に配置される粒子押板６に硫化水素と反応して変色する剤を含浸させて構成されている。【選択図】図１
2015102473.tif 000002
【特許請求の範囲】
【請求項１】
少なくとも胴部が遮光性を有し、また一端にガス流入口が、他端にガス流出口が形成された筒状容器に銀塩を含有する粒状体を収容するとともに、少なくとも前記ガス流出口に配置される粒子押板に硫化水素と反応して変色する剤を含浸させてなるガス分析用硫化水素除去フィルター。
【発明の詳細な説明】
【技術分野】
【０００１】
本発明は、ガス検出器に流入する被検ガスから硫化水素を除去するためのフィルターに関する
【背景技術】
【０００２】
例えば石油化学や石油掘削の現場においては、硫化水素（Ｈ2Ｓ）、二酸化硫黄（ＳＯ2）、アセチレン（ＣＨ4）、一酸化炭素（ＣＯ）などの危険なガスが高い濃度で存在するため、これらのガスの濃度を常時モニターする必要がある。
これらガスの内、二酸化硫黄や一酸化炭素を測定する場合には、通常、電解液と境面を形成させた作用極と電解液中に浸漬された対極との間に定電位を印加し、ガスの濃度により電解電流が変化することを利用した定電位電解型電気化学式センサーが用いられる。
【０００３】
このように硫化水素が高い濃度で存在する状況下で定電位電解型電気化学式センサーを使用すると、硫化水素による干渉の影響が大きく、目的ガスを正確に測定することができない。
【０００４】
このため特許文献１に見られるようにアルミナ等の粒状の担持体に硫酸銀等の銀塩を担持させた粒状体を内部が視認可能な容器に収容したフィルタが用いられている。
これによれば被検ガスに含まれている硫化水素が流入口側の硫酸銀粒子から順番に反応して捕捉され、測定対象ガスは硫酸銀粒子を通過してガス流出口から検出器に流入する。
このようにしてガス流出口近傍の硫酸銀粒子まで硫化水素を反応吸収するとフィルターとしての寿命が尽きたことになる。
【０００５】
硫酸銀粒子は硫化水素を反応吸収すると黒化するのでこの黒化領域の大きさ（長さ）を容器の外から見てフィルタの交換時期を判定している。しかしながら銀塩は外光によっても黒化するため、寿命の判定にミスが生じるという問題がある。これを回避しようと遮光性容器に収容すると今度は黒化領域を目視できないという問題が新たに生じる。
【先行技術文献】
【特許文献】
【０００６】
【特許文献１】特開２００３−２３２７７０号公報
【発明の概要】
【発明が解決しようとする課題】
【０００７】
本発明は、このような問題に鑑みてなされたものであってその目的とするところは遮光性容器を使用しても寿命を正確に判定することができるガス分析用硫化水素除去フィルターを提供することである。
【課題を解決するための手段】
【０００８】
このような課題を達成するために本発明は 少なくとも胴部が遮光性を有し、また一端にガス流入口が、他端にガス流出口が形成された筒状容器に銀塩を含有する粒状体を収容するとともに、少なくとも前記ガス流出口に配置される通気性の粒子押板に硫化水素と反応して変色する剤を含浸させて構成されている。
【発明の効果】
【０００９】
流出口側の粒子押板の色を観察することにより確実に寿命を判定することができる。
【図面の簡単な説明】
【００１０】
【図１】本発明の一実施例を示す断面図である。
【発明を実施するための形態】
【００１１】
筒状容器１は、少なくともその胴部２が遮光性を有し、また一端にガス流入口３が、他端にガス流出口４が形成されていてガス流入口３及びガス流出口４には通気性を備えた粒子止板５、６を配して銀塩、例えば硫酸銀（Ａｇ2ＳＯ4）を担持する粒状体、もしくは銀塩そのものからなる粒子７を収容してフィルターとして構成されている。
【００１２】
そして少なくともガス流出口側に配置される粒子止板６は硫化水素と反応して変色する剤、例えば銀塩が含浸されている。すなわち吸水性材料、例えばセルロースで構成された通気性板状体は、硫化水素と反応して変色する材料、例えば銀塩の水溶液を吸収させて乾燥する等の方法で剤が担持させられている。
【００１３】
この実施例においてフィルタのガス流入口３とガス流出口４をサンプリング流路に接続して被測定ガスをセンサに送り込むと、気体に含まれている硫化水素は流入口側の粒子７の硫酸銀から順番に反応して捕捉される一方、測定対象ガスは粒子７を通過してガス流出口４からセンサに流入する。
【００１４】
なお、フィルタの使用過程において外光が照射されてもこれを構成する容器が遮光性を有するので硫酸銀が光反応で黒化することはない。
【００１５】
このようにしてガス流出口４近傍の粒子まで硫化水素を吸収すると、ついには流出口側の粒子止板６に硫化水素が接触する。これにより流出口側の粒子止板６が黒化するので、流出口側から目視することによりフィルタの寿命が到来したことを判定できる。
【００１６】
なお、上述の実施例においてはガス流出口側の粒子止板６にだけ銀塩を担持させているが、ガス流出口側だけでなくガス流入口側の粒子止板５にも銀塩を担持させておくと、ガス流出口とガス流入口とを厳密に区別する必要なく流路に接続することができる。
また、上述の実施例においては胴部に遮光性を持たせて実質的に光による銀塩の黒化を防止しているが、筒状容器全体に遮光性を持たせても、ガス流入口３、ガス流出口４の貫通孔から目視することにより粒子止板の色彩を判定することができる。
【符号の説明】
【００１７】
１  筒状容器    ２  胴部    ３  ガス流入口    ４  ガス流出口    ５、６  粒子止板    ７  硫酸銀を担持する粒状体
【図１】
2015102473.tif 000003
(57)【要約】      （修正有）【課題】空気汚染等の多くの問題を発生させることなく、クリーンで安全なエネルギー源を使用して、電気生産を行う。【解決手段】立体的ビル型構築物に於いて、構造物最上部より最下部まで縦型に通した複数の水路筒へ、海水や水を連続で流し、水の落下力を使い、各フロアーに設置した複数の水車を回転させ、その水車の回転軸に発電装置を連結し、多量の電気を発生していく。【選択図】なし【特許請求の範囲】
【請求項１】
立体的ビル型構築物の最上階最上部より、最下階最下部まで、真っ縦一直線の複数の水路筒を造り、各筒の最上部より海水や水を連続で入れ、各筒の水路筒各階毎に水車を設置、水路筒を連続で通る海水や水の落下力にて各階の水車を回転させ、その全部の水車回転軸に発電装置等を連動して、電気を発生させて行く発電方法。
【発明の詳細な説明】
【技術分野】本発明の発電プラントは、立体的ビル型構築物に於いて、最上部より最下部まで縦型に通した複数の水路筒へ、最上部注水口より海水や水を連続で流し水の落下力を使い、各水路筒の各階に設置した複数の水車を回転させ、その水車回転軸に発電装置を連動し、水力にて多量の電気を発生して行く発電方法のプラントである。
【背景技術】現在、立体的ビル型構築物において、建物最上部より建物の最下部まで複数の水路筒を真縦に通して、その水路筒最上部より海水や水を連続で流し、各階を通る水路筒に各階毎に水車を設置して、その水車回転軸に発電装置を連動させ電気を発生させる発電方法のプラントは存在していない。
【発明の概要】
【発明が解決しようとする課題】既存する火力発電や、原子力発電所で使用するエネルギー源には多くの問題があり、自然的な物を活用した、クリーンで安全な電気エネルギー源が求められている。
【課題を解決するための手段】立体的ビル型構築物に於いて、最上部より最下部まで縦型に通した複数の水路筒へ、最上部注水口より海水や水を連続で流し水の落下力を何度も使い、水路筒の各階に設置した複数の水車を回転させ、その水車回転軸に発電装置を連動して電気を発電する事で、クリーンな海水や水の力にて多量の電気の発生が出来て課題を解決出来る。
【発明の効果】海水や水での発電はクリーンで安全なエネルギー源である。又海水を使用した場合は、無限に有り無料のため低コストで電気の生産が出来る最良の方法で効果が大きい。
【産業上の利用可能性】発電エネルギー源として、多大の利用可能性がある。
【図面の簡単な説明】
【図１】図面は立体的ビル型構築物水力発電プラント、一部分抜粋図符号１は、水路筒符号２は、水車羽根符号３は、水車回転軸符号４は、発電装置符号５は、フロアー符号６は、構築物最上部符号７は、注水口
【発明を実施するための最良の形態】陸地の水には量的に限界がある為に、このプラントによる大量の電気生産には、日本の細長い地形を生かし列島陸地にこのビル型水力発電プラントを陸地高所より棚田式に何棟も構築し、プラント最高所棟の最上部へ海水を上げプラント棟に設置の全水車を回し、その棟で役目を終えた海水は下方のプラント棟の最上部注水口へ行き再活用、そして次の下方のプラント棟へ行き再々活用と、一度上げた海水を何度も利用するのが最良の形態である。
【図１】
2015102087.tif 000002